【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
アクセスポイントにおいてデータパケットを生成することと、ここにおいて、前記データパケットは、複数の宛先デバイスの各々へ割り当てられる、複数の周波数サブ帯域内のトーンを識別するように構成されたフィールドを含み、ここにおいて、前記データパケットは、前記複数の宛先デバイスのうちの第１の宛先デバイスへ割り当てられるトーンの第１のセット、及び前記複数の宛先デバイスのうちの第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
無線ネットワークを介して前記アクセスポイントから前記第１の宛先デバイスへ前記データパケットを送信することと、及び、
前記無線ネットワークを介して前記アクセスポイントから前記第２の宛先デバイスへ前記データパケットを送信することと
を備える方法。
【請求項２】
トーンの前記第１のセットの各々のトーンは、前記複数の周波数サブ帯域のうちの第１の周波数サブ帯域内にあり、トーンの前記第２のセットの各々のトーンは、前記複数の周波数サブ帯域のうちの第２の周波数サブ帯域内にある、請求項１に記載の方法。
【請求項３】
トーンの前記第１のセットの第１のトーンは、前記複数の周波数サブ帯域のうちの第１の周波数サブ帯域内にあり、トーンの前記第１のセットの第２のトーンは、前記複数の周波数サブ帯域のうちの第２の周波数サブ帯域内にある、請求項１に記載の方法。
【請求項４】
前記データパケットは、ロング・トレーニング・フィールド及びショート・トレーニング・フィールドを含むプリアンブルを含む、請求項１に記載の方法。
【請求項５】
トーンの前記第１のセット及びトーンの前記第２のセットは、周波数バンドにわたってインタリーブされる、請求項１に記載の方法。
【請求項６】
前記アクセスポイントにおいてアップリンク通信を受信すること、ここにおいて、前記アップリンク通信は、前記第１の宛先デバイスへ割り当てられるトーンの前記第１のセット、及び、前記第２の宛先デバイスへ割り当てられるトーンの前記第２のセットを含む第２の波形を使用して通信され、ここにおいて、前記第２の波形のトーンの前記第１のセットは、前記第１の宛先デバイスによって送信されたデータを含み、及びここにおいて、前記第２の波形のトーンの前記第２のセットは、前記第２の宛先デバイスによって送信されたデータを含む、
をさらに備える、請求項１に記載の方法。
【請求項７】
トーンの前記第１のセットは、前記第１の宛先デバイスへ割り当てられたが、前記第２の宛先デバイスへは割り当てられない、第１のパイロットトーンを含み、トーンの前記第２のセットは、前記第２の宛先デバイスへ割り当てられたが、前記第１の宛先デバイスへは割り当てられない、第２パイロットトーンを含む、請求項１に記載の方法。
【請求項８】
少なくとも１つのパイロットトーンは、前記第１の宛先デバイス及び前記第２の宛先デバイスへ割り当てられる、請求項１に記載の方法。
【請求項９】
トーンの前記第１のセットは、前記第１の宛先デバイスへ割り当てられる少なくとも２つのパイロットトーン及び少なくとも１２個のデータトーンを含む、請求項１に記載の方法。
【請求項１０】
トーンの前記第１のセットは、前記第１の宛先デバイスへ割り当てられた、３６、７２、１２０、１５６、又は３１２個のデータトーンを含む、請求項１に記載の方法。
【請求項１１】
前記波形は、第３の宛先デバイスへ割り当てられる、トーンの第３のセットをさらに含み、ここにおいて、トーンの前記第３のセットは、トーンの前記第１のセット及びトーンの前記第２のセットについてオーバラップしない、請求項１に記載の方法。
【請求項１２】
前記波形は、第４の宛先デバイスへ割り当てられる、トーンの第４のセットをさらに含み、ここにおいて、トーンの前記第４のセットは、トーンの前記第１のセット、トーンの前記第２のセット、及びトーンの前記第３のセットについてオーバラップしない、請求項１１に記載の方法。
【請求項１３】
前記複数の周波数サブ帯域の各々は、高効率Ｗｉ−Ｆｉショート・トレーニング・フィールド、及び高効率Ｗｉ−Ｆｉロング・トレーニング・フィールドを含む、請求項１に記載の方法。
【請求項１４】
プロセッサと、
前記プロセッサによって実行された場合、前記プロセッサに動作を実行させる命令を記憶したメモリと、
を備え、前記動作は、
アクセスポイントにおいてデータパケットを生成することと、ここにおいて、前記データパケットは、複数の宛先デバイスの各々へ割り当てられる、複数の周波数サブ帯域内のトーンを識別するように構成されたフィールドを含み、ここにおいて、前記データパケットは、前記複数の宛先デバイスのうちの第１の宛先デバイスへ割り当てられるトーンの第１のセット及び前記複数の宛先デバイスのうちの第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
無線ネットワークを介して前記アクセスポイントから前記第１の宛先デバイスへ前記データパケットを送信することと、及び、
前記無線ネットワークを介して前記アクセスポイントから前記第２の宛先デバイスへ前記データパケットを送信することと
を備える、装置。
【請求項１５】
前記データパケットの前記フィールドは、トーンの前記第１のセットが、前記第１の宛先デバイスへ割り当てられ、トーンの前記第２のセットが、前記第２の宛先デバイスへ割り当てられることを示す、請求項１４に記載の装置。
【請求項１６】
前記第１の宛先デバイス及び前記第２の宛先デバイスは、各々、最小処理帯域幅に関連付けられる、請求項１４に記載の装置。
【請求項１７】
前記最小処理帯域幅は、５メガヘルツ（ＭＨｚ）である、請求項１６に記載の装置。
【請求項１８】
トーンの前記第１のセットは、前記第１の宛先デバイスへ割り当てられる１２個のデータトーンを含む、請求項１４に記載の装置。
【請求項１９】
トーンの前記第１のセットは、前記第１の宛先デバイスへ割り当てられた２つのパイロットトーンを含む、請求項１４に記載の装置。
【請求項２０】
前記メモリは、前記データパケットの生成の間使用される少なくとも１つのトーン割り当てパラメータをさらに記憶する、請求項１４に記載の装置。
【請求項２１】
前記少なくとも１つのトーン割り当てパラメータは、どのデータトーンが前記第１の宛先デバイスへ割り当てられるべきであるかを示す、請求項２０に記載の装置。
【請求項２２】
前記少なくとも１つのトーン割り当てパラメータは、どのパイロットトーンが前記第１の宛先デバイスへ割り当てられるべきであるかを示す、請求項２０に記載の装置。
【請求項２３】
前記少なくとも１つのトーン割り当てパラメータは、パイロットトーンが前記第１の宛先デバイス及び前記第２の宛先デバイスへ割り当てられるべきものであることを示す、請求項２０に記載の装置。
【請求項２４】
前記複数の周波数サブ帯域の各々は、高効率Ｗｉ−Ｆｉショート・トレーニング・フィールド、及び高効率Ｗｉ−Ｆｉロング・トレーニング・フィールドを含む、請求項１４に記載の装置。
【請求項２５】
コンピュータによって実行されるとき、前記コンピュータに動作を実行させる命令を備える非一時的なコンピュータ可読媒体であって、前記動作は、
アクセスポイントにおいてデータパケットを生成することと、ここにおいて、前記データパケットは、複数の宛先デバイスの各々へ割り当てられる、複数の周波数サブ帯域内のトーンを識別するように構成されたフィールドを含み、ここにおいて、前記データパケットは、前記複数の宛先デバイスのうちの第１の宛先デバイスへ割り当てられるトーンの第１のセット及び前記複数の宛先デバイスのうちの第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
無線ネットワークを介して前記アクセスポイントから前記第１の宛先デバイスへ前記データパケットを送信することと、及び、
前記無線ネットワークを介して前記アクセスポイントから前記第２の宛先デバイスへ前記データパケットを送信することと
を備える、非一時的なコンピュータ可読媒体。
【請求項２６】
トーンの前記第１のセットは、前記第１の宛先デバイスへ割り当てられる少なくとも２つのパイロットトーン及び少なくとも１２個のデータトーンを含む、請求項２５に記載の非一時的なコンピュータ可読媒体。
【請求項２７】
トーンの前記第１のセットは、前記第１の宛先デバイスへ割り当てられた、３６、７２、１２０、１５６、又は３１２個のデータトーンを含む、請求項２５に記載の非一時的なコンピュータ可読媒体。
【請求項２８】
前記複数の周波数サブ帯域の各々は、高効率Ｗｉ−Ｆｉショート・トレーニング・フィールド、及び高効率Ｗｉ−Ｆｉロング・トレーニング・フィールドを含む、請求項２５に記載の非一時的なコンピュータ可読媒体。
【請求項２９】
アクセスポイントにおいてデータパケットを生成するための手段と、ここにおいて、前記データパケットは、複数の宛先デバイスの各々へ割り当てられる、複数の周波数サブ帯域内のトーンを識別するように構成されたフィールドを含み、ここにおいて、前記データパケットは、第１の宛先デバイスへ割り当てられるトーンの第１のセット、及び第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
無線ネットワークを介して前記アクセスポイントから前記第１の宛先デバイス及び前記第２の宛先デバイスへ前記データパケットを送信するための手段と
を備える、装置。
【請求項３０】
トーンの前記第１のセットは、前記第１の宛先デバイスへ割り当てられる１２個のデータトーンを含む、請求項２９に記載の装置。
【手続補正２】
【補正対象書類名】明細書
【補正対象項目名】００７４
【補正方法】変更
【補正の内容】
【００７４】
[0083]開示された実施形態の前の説明は、開示された実施形態を作成または使用することを当業者に可能にするために提供される。これらの実施形態に対する様々な修正は、当業者にとって容易に明らかであり、ここに定義された原理は、本開示の範囲から逸脱することなく他の実施形態に応用されうる。したがって、本開示は、ここに開示された実施形態に限定されるようには意図されず、下記の特許請求の範囲によって定義されるような原理および新規な特徴と一致する最も広い範囲を与えられることとなる。
以下に本願の出願当初の特許請求の範囲に記載された発明を付記する。
［Ｃ１］
アクセスポイントにおいてデータパケットを生成することと、ここにおいて、前記データパケットは、第１の宛先デバイスへ割り当てられるトーンの第１のセット及び第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
電気電子技術者協会（ＩＥＥＥ）８０２．１１無線ネットワークを介して前記アクセスポイントから前記第１の宛先デバイスへ前記データパケットを送信することと、及び、
前記ＩＥＥＥ８０２．１１無線ネットワークを介して前記アクセスポイントから前記第２の宛先デバイスへ前記データパケットを送信することと
を備える方法。
［Ｃ２］
トーンの前記第１のセットの各々のトーンは、第１の周波数サブバンド内であり、トーンの前記第２のセットの各々のトーンは、第２の周波数サブバンド内である、Ｃ１に記載の方法。
［Ｃ３］
トーンの前記第１のセットの第１のトーンは、第１の周波数サブバンド内であり、トーンの前記第１のセットの第２のトーンは、第２の周波数サブバンド内である、Ｃ１に記載の方法。
［Ｃ４］
前記データパケットは、レガシー・プリアンブル及び高効率Ｗｉ−Ｆｉ（ＨＥＷ）プリアンブルを含み、前記レガシー・プリアンブルは、レガシー・ロング・トレーニング・フィールド（Ｌ−ＬＴＦ）、レガシー・ショート・トレーニング・フィールド（Ｌ−ＳＴＦ）、及びレガシー・シグナル（Ｌ−ＳＩＧ）フィールドを備え、ここにおいて、前記ＨＥＷプリアンブルは、高効率Ｗｉ−Ｆｉ  ＳＩＧ（ＨＥＷ−ＳＩＧ）フィールドを備える、Ｃ１に記載の方法。
［Ｃ５］
前記ＨＥＷ−ＳＩＧフィールドは、トーンの前記第１のセットが、前記第１の宛先デバイスへ割り当てられ、トーンの前記第２のセットが、前記第２の宛先デバイスへ割り当てられることを示す、Ｃ４に記載の方法。
［Ｃ６］
前記ＨＥＷプリアンブルは、前記第１の宛先デバイスへ対応する第１のＨＥＷ−ＳＴＦフィールド及び前記第２の宛先デバイスへ対応する第２のＨＥＷ−ＳＴＦフィールドをさらに備える、Ｃ４に記載の方法。
［Ｃ７］
前記ＨＥＷプリアンブルは、前記第１の宛先デバイスへ対応する第１のＨＥＷ−ＬＴＦフィールド及び前記第２の宛先デバイスへ対応する第２のＨＥＷ−ＬＴＦフィールドをさらに備える、Ｃ４に記載の方法。
［Ｃ８］
トーンの前記第１のセット及びトーンの前記第２のセットは、周波数バンドにわたってインタリーブされる、Ｃ１に記載の方法。
［Ｃ９］
前記アクセスポイントにおいてアップリンク通信を受信すること、ここにおいて、前記アップリンク通信は、前記第１の宛先デバイスへ割り当てられた、トーンの前記第１のセット、及び、前記第２の宛先デバイスへ割り当てられた、トーンの前記第２のセットを含む第２の波形を使用して通信され、ここにおいて、前記第２の波形のトーンの前記第１のセットは、前記第１の宛先デバイスによって送信されたデータを含み、およびここにおいて、前記第２の波形のトーンの前記第２のセットは、前記第２の宛先デバイスによって送信されたデータを含む、をさらに備える、Ｃ１に記載の方法。
［Ｃ１０］
トーンの前記第１のセットは、前記第１の宛先デバイスへ割り当てられたが、前記第２の宛先デバイスへは割り当てられない、第１のパイロットトーンを含み、トーンの前記第２のセットは、前記第２の宛先デバイスへ割り当てられたが、前記第１の宛先デバイスへは割り当てられない、第２パイロットトーンを含む、Ｃ１に記載の方法。
［Ｃ１１］
少なくとも１つのパイロットトーンは、前記第１の宛先デバイス及び前記第２の宛先デバイスへ割り当てられる、Ｃ１に記載の方法。
［Ｃ１２］
トーンの前記第１のセットは、前記第１の宛先デバイスへ割り当てられた少なくとも２つのパイロットトーン及び少なくとも１２個のデータトーンを含む、Ｃ１に記載の方法。
［Ｃ１３］
トーンの前記第１のセットは、前記第１の宛先デバイスへ割り当てられた、３６、７２、１２０、１５６、又は３１２個のデータトーンを含む、Ｃ１に記載の方法。
［Ｃ１４］
前記波形は、第３の宛先デバイスへ割り当てられる、トーンの第３のセットをさらに含み、ここにおいて、トーンの前記第３のセットは、トーンの前記第１のセット及びトーンの前記第２のセットについてオーバラップしない、Ｃ１に記載の方法。
［Ｃ１５］
前記波形は、第４の宛先デバイスへ割り当てられる、トーンの第４のセットをさらに含み、ここにおいて、トーンの前記第４のセットは、トーンの前記第１のセット、トーンの前記第２のセット、及びトーンの前記第３のセットについてオーバラップしない、Ｃ１４に記載の方法。
［Ｃ１６］
プロセッサと、
前記プロセッサによって実行された場合、前記プロセッサに動作を実行させる命令を記憶したメモリと、前記動作は、
アクセスポイントにおいてデータパケットを生成することと、ここにおいて、前記データパケットは、第１の宛先デバイスへ割り当てられるトーンの第１のセット及び第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
電気電子技術者協会（ＩＥＥＥ）８０２．１１無線ネットワークを介して前記アクセスポイントから前記第１の宛先デバイスへ前記データパケットを送信することと、及び、
前記ＩＥＥＥ８０２．１１無線ネットワークを介して前記アクセスポイントから前記第２の宛先デバイスへ前記データパケットを送信することと
を備える、を備える装置。
［Ｃ１７］
前記データパケットのプリアンブルの高効率Ｗｉ−Ｆｉシグナル（ＨＥＷ−ＳＩＧ）フィールドは、トーンの前記第１のセットが、前記第１の宛先デバイスへ割り当てられ、トーンの前記第２のセットが、前記第２の宛先デバイスへ割り当てられることを示す、Ｃ１６に記載の装置。
［Ｃ１８］
前記第１の宛先デバイス及び前記第２の宛先デバイスは、各々、最小処理帯域幅に関連付けられる、Ｃ１６に記載の装置。
［Ｃ１９］
前記最小処理帯域幅は、５メガヘルツ（ＭＨｚ）である、Ｃ１８に記載の装置。
［Ｃ２０］
トーンの前記第１のセットは、前記第１の宛先デバイスへ割り当てられた１２個のデータトーンを含む、Ｃ１６に記載の装置。
［Ｃ２１］
トーンの前記第１のセットは、前記第１の宛先デバイスへ割り当てられた２つのパイロットトーンを含む、Ｃ１６に記載の装置。
［Ｃ２２］
前記メモリは、前記データパケットの生成の間使用される少なくとも１つのトーン割り当てパラメータをさらに記憶する、Ｃ１６に記載の装置。
［Ｃ２３］
前記少なくとも１つのトーン割り当てパラメータは、どのデータトーンが前記第１の宛先デバイスへ割り当てられるべきであるかを示す、Ｃ２２に記載の装置。
［Ｃ２４］
前記少なくとも１つのトーン割り当てパラメータは、どのパイロットトーンが前記第１の宛先デバイスへ割り当てられるべきであるかを示す、Ｃ２２に記載の装置。
［Ｃ２５］
前記少なくとも１つのトーン割り当てパラメータは、パイロットトーンが前記第１の宛先デバイス及び前記第２の宛先デバイスへ割り当てられるべきものであることを示す、Ｃ２２に記載の装置。
［Ｃ２６］
コンピュータによって実行されるとき、前記コンピュータに動作を実行させる命令を備える非一時的なコンピュータ可読媒体であって、前記動作は、
アクセスポイントにおいてデータパケットを生成することと、ここにおいて、前記データパケットは、第１の宛先デバイスへ割り当てられるトーンの第１のセット及び第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
電気電子技術者協会（ＩＥＥＥ）８０２．１１無線ネットワークを介して前記アクセスポイントから前記第１の宛先デバイスへ前記データパケットを送信することと、及び、
前記ＩＥＥＥ８０２．１１無線ネットワークを介して前記アクセスポイントから前記第２の宛先デバイスへ前記データパケットを送信することと
を備える、非一時的なコンピュータ可読媒体。
［Ｃ２７］
トーンの前記第１のセットは、前記第１の宛先デバイスへ割り当てられる少なくとも２つのパイロットトーン及び少なくとも１２個のデータトーンを含む、Ｃ２６に記載の非一時的なコンピュータ可読媒体。
［Ｃ２８］
トーンの前記第１のセットは、前記第１の宛先デバイスへ割り当てられた、３６、７２、１２０、１５６、又は３１２個のデータトーンを含む、Ｃ２６に記載の非一時的なコンピュータ可読媒体。
［Ｃ２９］
アクセスポイントにおいてデータパケットを生成するための手段と、ここにおいて、前記データパケットは、第１の宛先デバイスへ割り当てられるトーンの第１のセット及び第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
電気電子技術者協会（ＩＥＥＥ）８０２．１１無線ネットワークを介して前記アクセスポイントから前記第１の宛先デバイス及び前記第２の宛先デバイスへ前記データパケットを送信するための手段と
を備える、装置。
［Ｃ３０］
トーンの前記第１のセットは、前記第１の宛先デバイスへ割り当てられる１２個のデータトーンを含む、Ｃ２９に記載の装置。